(57)【特許請求の範囲】
【請求項１】
ドアの内壁面に固定される室内側装飾板本体と、該室内側装飾板本体の上端開口を閉成するキャップと、該キャップに着脱可能に支持されて前記室内側装飾板本体の外側に配置されたバッテリケースとを備えていることを特徴とするドア用錠前のエスカチオン。
【請求項２】
前記バッテリケースの内部に設けられたバッテリから前記室内側装飾板本体内に設けられた内部電気部品へ電源供給するための配線コードと、該配線コードを前記バッテリケースから前記室内側装飾板本体内に配索するために前記バッテリケースの背面側から前記キャップ又は前記室内側装飾板本体の内部に向けて突出する配索部と、該配索部に充填された絶縁性充填材とをさらに備えている請求項１に記載のドア用錠前のエスカチオン。
【発明の詳細な説明】
【技術分野】
【０００１】
本発明は、ドア用錠前のエスカチオンに関し、例えば、ホテルの各客室用ドアにそれぞれ取り付けられたドア用錠前のエスカチオンに関する。
【背景技術】
【０００２】
近年のホテルの各客室用ドアにあっては、シリンダーキー方式のドア用錠前では、客室番号を示すキーホルダーが大型化してしまう上、紛失やマスターキーの管理といった利便性の不具合から、磁気カードやＩＣカードを利用したものが普及しつつある（例えば、特許文献１参照）。
【０００３】
図６及び図７は、このようなカード方式のドア用錠前の一例を示し、図６は廊下側（室外側）から見たドア要部の斜視図、図７は客室側（室内側）から見たドア要部の斜視図である。
【０００４】
尚、当業者用語としての「エスカチオン」は、普通一般にドアに取り付けられた錠前の機構をカバーする装飾板としての意味合いを有する。
【０００５】
図６において、客室と廊下との間を区画・連通するドア１の扉木口２には、フロント板３が固定されていると共に、このフロント板３の表面から常時は突出してドア開口縁部に設けられた係合穴（図示せず）と係合することによりドア閉成状態を維持するためのラッチボルト４と、フロント板３の表面から常時は埋没し且つ突出したときにドア開口縁部に設けられたロック穴（図示せず）と係合することによりドアロック状態を維持するための錠ボルトであるデッドボルト５と、が設けられている。
【０００６】
また、ドア１の室外側には、カードキーとしての磁気カード６を挿入するカード挿入口７ａを形成した室外側装飾板本体７と、この室外側装飾板本体７の上下開口端を閉成するキャップ８，９と、ドア１の開閉操作並びにラッチボルト４の出没操作を行うためのレバーハンドル１０またはノブと、を備えている。
【０００７】
図７において、ドア１の室内側には、室内側装飾板本体１１と、この室内側装飾板本体１１の上下開口端を閉成するキャップ１２，１３と、ドア１の開閉操作並びにラッチボルト４の出没操作を行うためのレバーハンドル１４と、デッドボルト５によるドアロック・アンロックを操作するサムターン１５と、を備えている。
【０００８】
また、室内側装飾板本体１１の内部には、図示を略するが、磁気カード６の読取装置、磁気カード６の読み取りに連動したデッドボルト５のドアロック・アンロックを実行するロック機構部、電源（バッテリ）、制御回路部等が設けられている。さらに、室内側装飾板本体１１には、ドア１を貫通して室外側装飾板本体７の裏面側に設けられた雌ネジ部（図示せず）と螺合することでドア１を挟むように室内側装飾板本体１１と室外側装飾板本体７とをドア１に固定するための固定用ネジ１６が設けられている。
【０００９】
さらに、室内側装飾板本体１１の上下開口端を閉成するキャップ１２，１３のうち、下方のキャップ１３には、電源としての複数本の単三電池を支持するバッテリホルダ（図示せず）が設けられている（特許文献１，２参照）。
【先行技術文献】
【特許文献】
【００１０】
【特許文献１】特許第４１１１７５９号公報
【特許文献２】特開平１０−２１２８４７号公報
【発明の概要】
【発明が解決しようとする課題】
【００１１】
しかしながら、上述した従来のドア用錠前のエスカチオンにあっては、室内側装飾板本体１１の内部に直接電源を挿入しているため、例えば、エスカチオンが屋外に設置されていた場合には、室外側装飾板本体７に形成されたカード挿入口７ａ及びドア１に形成された開口（例えば、固定用ネジ１６の貫通穴等）を経由して室内側装飾板本体１１の内部に雨水等が浸入し易く、また、エスカチオンがホテル等の屋内に設置されていた場合には、廊下の清掃時やシーツ交換時に発生した塵埃等がカード挿入口７ａ及びドア１の開口を介して室内側装飾板本体１１の内部に入り込み易いといった問題があった。
【００１２】
さらに、季節や地域、あるいはエアコンの使用等によって室内側と室外側とで温度差が有る場合には、カード挿入口７ａから入り込んだ空気の温度と室内側装飾板本体１１の内部温度との差によって室内側装飾板本体１１の内部に結露が発生し易いといった問題もあった。
【００１３】
そして、このように室内側装飾板本体１１の内部に侵入した雨水・塵埃や内部に発生した結露といった異物が電源である単三電池の接触部分等へ付着又は堆積することにより、電池が腐食し、電源に悪影響を及ぼす要因になるといった問題があった。
【００１４】
本発明は、上記した課題を解決すべくなされたものであり、電源への悪影響を抑制し、電源の耐久性の向上を図ることのできるドア用錠前のエスカチオンを提供することを目的とする。
【課題を解決するための手段】
【００１５】
本発明に係るドア用錠前のエスカチオンは、ドアの内壁面に固定される室内側装飾板本体と、該室内側装飾板本体の上端開口を閉成するキャップと、該キャップに着脱可能に支持されて前記室内側装飾板本体の外側に配置されたバッテリケースとを備えていることを特徴とする。
【００１６】
そして、このようにバッテリケースとドアの間に室内側装飾板本体が介装されることにより、例え、カード挿入口及びドアの開口を介して室内側装飾板本体の内部に雨水や塵埃が侵入したり、或いは室内側装飾板本体の内部に結露が発生したりしても、バッテリケースに収納された電池（電源）が、これら雨水・塵埃・結露等の異物の影響を受け難くなるため、バッテリケース内の電池（電源）への悪影響を抑制し、電池（電源）の耐久性を高めることができる。
【００１７】
また、本発明に係るドア用錠前のエスカチオンは、前記バッテリケースの内部に設けられたバッテリから前記室内側装飾板本体内に設けられた内部電気部品へ電源供給するための配線コードと、該配線コードを前記バッテリケースから前記室内側装飾板本体内に配索するために前記バッテリケースの背面側から前記キャップ又は前記室内側装飾板本体の内部に向けて突出する配索部と、該配索部に充填された絶縁性充填材とをさらに備えているのが好ましい。
【００１８】
そして、このように配索部に絶縁性充填材を充填することにより、室内側装飾板本体の内部とバッテリケースとの間が隔絶されるため、電源への悪影響をより確実に抑制し、電源の耐久性をさらに高めることができる。
【発明の効果】
【００１９】
本発明に係るドア用錠前のエスカチオンによれば、電源への悪影響を抑制し、電源の耐久性の向上を図ることができる等、種々の優れた効果を得ることができる。
【図面の簡単な説明】
【００２０】
【図１】本発明の一実施形態に係るドア用錠前のエスカチオンの正面図である。
【図２】本発明の一実施形態に係るドア用錠前のエスカチオンの要部の断面図である。
【図３】本発明の一実施形態に係るドア用錠前のエスカチオンの背面図である。
【図４】本発明の一実施形態に係るドア用錠前のエスカチオンに適用されるバッテリケースの断面図である。
【図５】本発明の一実施形態に係るドア用錠前のエスカチオンに適用されるバッテリケースの背面図である。
【図６】従来のドア用錠前のエスカチオンを示し、室外側エスカチオンを含むドア要部の斜視図である。
【図７】従来のドア用錠前のエスカチオンを示し、室内側エスカチオンを含むドア要部の斜視図である。
【発明を実施するための形態】
【００２１】
次に、本発明の一実施形態に係るドア用錠前のエスカチオンについて、図面を参照して説明する。ここで、図１は本発明の一実施形態に係るドア用錠前のエスカチオンの正面図、図２は本発明の一実施形態に係るドア用錠前のエスカチオンの要部の断面図、図３は本発明の一実施形態に係るドア用錠前のエスカチオンの背面図、図４は本発明の一実施形態に係るドア用錠前のエスカチオンに適用されるバッテリケースの断面図、図５は本発明の一実施形態に係るドア用錠前のエスカチオンに適用されるバッテリケースの背面図である。
【００２２】
尚、以下に示す実施例は本発明のドア用錠前のエスカチオンにおける好適な具体例であり、技術的に好ましい種々の限定を付している場合もあるが、本発明の技術範囲は、特に本発明を限定する記載がない限り、これらの態様に限定されるものではない。また、本実施の形態においては、室内側に配置されたエスカチオンに特化して説明し、室外側のエスカチオン及びドアロック・アンロックの具体的な構成は公知の技術のものを適宜適用することができるものとする。
【００２３】
図１、図２に示すように、本実施の形態に係るエスカチオン２０は、上下に開口端を有する室内側装飾板本体２１と、室内側装飾板本体２１の上下開口端をそれぞれ閉成するキャップ２２，２３と、ドア１の開閉操作並びにラッチボルト（図示せず）の出没操作を行うためのレバーハンドル２４（回動軸部分のみ図示）と、デッドボルト（図示せず）によるドアロック・アンロックを室内側から操作するサムターン２５と、を備えている。また、室内側装飾板本体２１の内部には、図示を略するが、カードキー（例えば、ＩＣカードや磁気カード）の読取装置、カードキーの読み取りに連動したデッドボルトのドアロック・アンロックを実行するロック機構部、制御回路部等が設けられている。さらに、室内側装飾板本体２１には、ドア１（図２にのみ図示）を貫通して室外側装飾板本体（図示せず）の裏面側に設けられた雌ネジ部（図示せず）と螺合することでドア１を挟むように室内側装飾板本体２１と室外側装飾板本体とをドア１に固定するための固定用ネジ１６が設けられている。
【００２４】
室内側装飾板本体２１は、ドア１とで閉断面を形成するように水平断面方向コ字形状とされた金属製のベース部材２６と、ベース部材２６を覆うカバー部材２７と、を備えており、カバー部材２７を樹脂等で形成することにより、室内側装飾板本体２１の軽量化並びに意匠性（例えば、金・銀・銅風）確保の容易性を向上している。
【００２５】
室内側装飾板本体２１の上端開口を閉成するキャップ２２には、ベース部材２６に形成された被係合部２６ａと係合するランス状の係合脚部２８と、例えば、電源として４本の単三電池（図示せず）を収納するバッテリケース２９が設けられている。
【００２６】
バッテリケース２９は、正面に開放する樹脂製のバッテリベース３０と、バッテリベース３０の正面開放端を閉成するカバー３１と、４本の単三電池（図示せず）を電気的接続状態で支持する導電性金属プレートからなるホルダ３２と、ホルダ３２に一端が接続された配線コード３３と、を備えている。また、バッテリベース３０の下端は固定用ボルト１６に固定され、バッテリベース３０の上端はキャップ２２に形成された雌ネジ部２２ａ（図３参照）に螺合するネジ３４を介してキャップ２２に固定される。さらに、カバー３１の上端はタッピングネジ３５を介してバッテリベース３０に固定されている。また、カバー３１の下端には、バッテリベース３０の下端外壁面に形成されたガイド溝３０ａと係合する軸部３１ａが形成されており、カバー３１は、この軸部３１ａによって、図２の実線（断面）に示す正面開放端閉成状態と、図２の鎖線で示す正面開放端開放状態（単三電池交換状態）とに回動可能となっている。
【００２７】
一方、上述した配線コード３３は、図３に示すように、捻り状態で室内側装飾板本体２１の内部にまで配索され、その先端（他端）には、制御回路等に電源供給するためのコネクタ３６が設けられている。また、配線コード３３の中途部は、図４及び図５に示すように、バッテリベース３０の上方寄り角部付近の背面から突出する配索部３０ｂを貫通して配索されている。この際、配線コード３３の中途部を貫通させた状態で、配索部３０ｂの内部には、絶縁性材料（例えば、ブチルパテ等）からなる絶縁性充填材３７が充填されている。尚、配索部３０ｂは、キャップ２２に形成された凹部２２ｂに位置しており、その凹部２２ｂの低壁部分のキャップ２２に形成された開口２２ｃを貫通することで配線コード３３は室内側装飾板本体２１の内部に配索される。
【００２８】
なお、本実施の形態においては必ずしも設置しなくても構わないが、室内側装飾板本体２１の下端開口を閉成するキャップ２３には、例えば、背景技術で説明した既設のエスカチオンのように、電源として４本の単三電池（図示せず）を収納するバッテリホルダ３８が設けられていてもよい。この場合、コネクタ３６は既設のバッテリホルダ３８のコネクタ（図示せず）とで接続端を交換することで電源供給を行うことができる。また、バッテリホルダ３８は、例えば、結露が発生し易い時期にはバッテリケース２９を用いて電源供給を行い、結露が発生し難い時期にはバッテリホルダ３８を用いるといったように併用することも可能である。
【００２９】
また、固定用ネジ１６は、室内側装飾板本体２１の内部に設けられた補強ブロック部材３９を貫通している。この補強ブロック部材３９は、固定用ネジ１６の締め付け荷重に伴う室内側装飾板本体２１の潰れ方向の変形を防止するものである。
【００３０】
このように上記した構成を備えた本実施の形態に係るドア用錠前のエスカチオン２０において、単三電池を交換する場合には、固定用ネジ１６とタッピングネジ３５とを外し、軸部３１ａを回動支点としてカバー３１を回動させ、正面開放端を開放するだけで良い。したがって、電池の交換作業の簡略化を図ることができる。
【００３１】
また、例え、室内側装飾板本体２１の内部に雨水や塵埃が侵入したり、或いは室内側装飾板本体２１の内部に結露が発生したりした場合であっても、ブチルパテ等の絶縁性充填材３７によって室内側装飾板本体２１の内部とバッテリケース２９との間が隔絶されているため、それら雨水・塵埃・結露等の異物が室内側装飾板本体２１の内部からバッテリケース２９に入り込むことがない。したがって、電池（電源）の腐食等を抑制することができ、電池（電源）への悪影響を抑制し、電池（電源）の耐久性の向上を図ることができる。
【符号の説明】
【００３２】
１…ドア
１６…固定用ネジ
２０…エスカチオン
２１…室内側装飾板本体
２２…キャップ
２２ａ…雌ネジ部
２２ｂ…凹部
２９…バッテリケース
３０ｂ…配索部
３３…配線コード
３７…絶縁性充填材
【図１】
0005490577.tif 000002
【図２】
0005490577.tif 000003
【図３】
0005490577.tif 000004
【図４】
0005490577.tif 000005
【図５】
0005490577.tif 000006
【図６】
0005490577.tif 000007
【図７】
0005490577.tif 000008